(57)【要約】【課題】  複数のインターフェースを介してＰＣと接続可能な印字装置において、記録動作にかかるエンジンスピードに対してそれを上回る規格の通信速度のインターフェイスにより通信し記録動作を行う場合と、エンジンスピードを下回る規格のインターフェイスによりデータを受信して印字動作を行う場合では、記録媒体を排出する時間に大きな差が生じてしまう。その状況をユーザーが把握することが出来なかった。【解決手段】  通信速度の大きく違うインターフェイスを複数備えた印字装置において、ホストとなる機器との通信速度に応じて印字中である表示方法を変えることにより、ユーザーに通信状況と印字状況をわかりやすくするための表示方法を提供する。【選択図】  図３
2006015600.tif 000002
【特許請求の範囲】
【請求項１】
複数のインターフェイスによる通信手段を用いてホストとの接続が可能な記録装置において、前記複数のインターフェイスによる通信手段のうち少なくとも１つのインターフェイス通信手段からデータを受信する手段と、
前記複数のインターフェイス通信手段と前記ホストとの接続状態あるいは前記受信手段によって受信されたデータに基づいて、前記受信する手段に用いられたインターフェイス通信手段を識別する識別手段と、
前記インターフェイスを介してホストと通信を行い印字する場合に、前記ホストから印字データを受信中であることを表示する手段を有し、
前記通信手段を識別する手段により、通信しているインターフェイスに対応して表示方法を変化させること
を特徴とするインクジェット記録装置。
【請求項２】
前記複数のインターフェイスの識別手段により識別されたインターフェイスの通信速度に応じて、その前記表示方法を変えること
を特徴とする請求項１に記載のインクジェット記録装置。
【請求項３】
前記表示手段によりホストとのデータを受信中であることを示す表示手段として、ＬＥＤでの点燈あるいは点滅で表示すること
を特徴とする請求項１に記載のインクジェット記録装置。
【請求項４】
前記複数のインターフェイスのうち、通信に使用されたインターフェイスに対応してＬＥＤの点滅速度を変更すること
を特徴とする請求項３に記載のインクジェット記録装置。
【請求項５】
前記複数のインターフェイスのうち、通信に使用されたインターフェイスの通信速度に対応して、ＬＥＤの点滅速度を変化させて表示すること
を特徴とする請求項３に記載のインクジェット記録装置。
【請求項６】
前記複数のインターフェイスのうち、１つのインターフェイスはＢｌｕｅｔｏｏｔｈ技術による通信手段であること
を特徴とする、請求項１に記載のインクジェット記録装置。
【請求項７】
前記複数のインターフェイスのうち、１つのインターフェイスはＩｒＤＡ技術による通信手段であること
を特徴とする、請求項１に記載の記録装置。
【発明の詳細な説明】
【技術分野】
【０００１】
本発明は、複数のインターフェイス手段を有するインクジェット印字装置の制御方法に関するものである。
【背景技術】
【０００２】
近年はインクジェックプリンタ等でもホストとなる電子機器が多様化しており、複数のインターフェイスを備えることが多くなってきており、例えば赤外線による通信であるＩｒＤＡあるいは無線による通信のＢｌｕｅｔｏｏｔｈ等を通信手段にプリンタのインターフェイスを含む場合が多くなっている。この場合、有線のインターフェイスを使用する場合と違い、ホストとプリンタ間の障害物の存在や、電波環境の影響に通信状態が悪化し通信切断等によるユーザーが想定しないエラーが発生することがある。
【０００３】
このような状況に対応するために、プリンタがホストと通信中であることをユーザーが視認できるようにすることは、使い勝手という側面から重要な項目となっている。例えば、特開平５−６４９４０に見られる技術のように、プリンタのデータ受信周期に比例した受信状態を目視できるモニタを設けることにより、ユーザーに使い勝手や保守性の向上をもたらすという技術が開示され手いる。
【０００４】
また、ケーブルを接続しないでホストとデータ通信を行って記録動作を行うインターフェイスを有している場合、例えば特開平８−３００７７２に見られる技術のようにケーブルでつながれていない光通信によりプリントデータを通信する装置において、通信状況を視覚的に認識可能とする技術が開示されている。
【発明の開示】
【発明が解決しようとする課題】
【０００５】
しかしながら、上記の従来の技術においてはユーザーが使用するインターフェイスに対しての通信状況を把握することに対しては有効であるが、複数のインターフェイスを有する場合においては、ユーザーは使用しているインターフェイスを把握することができない。
【０００６】
また、記録装置は同一のデータを受信して記録動作を行う場合についても、記録動作にかかるエンジンスピードに対してそれを上回る規格の通信速度のインターフェイスにより通信し記録動作を行う場合と、エンジンスピードを下回る規格のインターフェイスによりデータを受信して印字動作を行う場合では、記録媒体を排出する時間に大きな差が生じてしまう。
【０００７】
また、インターフェイスの速度の違いを少なくするために、遅いインターフェイスを使用する場合には、データの圧縮率を上げて転送データ量を少なくする場合も考えられる。しかしながら、このような場合速度の遅いインターフェイスを使用した場合と、速度の速いインターフェイスを使用した場合で、印字結果に違いが生じることがある。この結果、ユーザーはインターフェイスの違いにより、同じデータに対して結果の違う記録物を得ることとなる場合がある。
【０００８】
本発明は上記従来例に鑑みてなされたもので、通信速度の大きく違うインターフェイスを複数備えた印字装置において、ホストとなる機器との通信速度に応じて印字中である表示方法を変えることにより、ユーザーに通信状況と印字状況をわかりやすくするための表示方法を提供することを目的としている。
【課題を解決するための手段】
【０００９】
上記目的を達成するために本発明の記録装置は、以下のような構成となっている。
【００１０】
複数のインターフェイスによる通信手段を用いてホストとの接続が可能な記録装置において、前記複数のインターフェイスによる通信手段のうち少なくとも１つのインターフェイス通信手段からデータを受信する手段と、前記複数のインターフェイス通信手段と前記ホストとの接続状態あるいは前記受信手段によって受信されたデータに基づいて、前記受信する手段に用いられたインターフェイス通信手段を識別する識別手段と、前記インターフェイスを介してホストと通信を行い印字する場合に、前記ホストから印字データを受信中であることを表示する手段を有し、前記通信手段を識別する手段により、通信しているインターフェイスに対応して表示方法を変化させることを特徴とする記録装置である。
【００１１】
さらに前記複数のインターフェイスの識別手段により識別されたインターフェイスの通信速度に応じて、その前記表示方法を変えることを特徴とする記録装置であることが望ましい。
【００１２】
さらに、前記表示手段によりホストとのデータを受信中であることを示す表示手段として、ＬＥＤでの点燈あるいは点滅で表示することを特徴とする記録装置であれば、非常に簡単な構成となり、さらに、前記複数のインターフェイスのうち、通信に使用されたインターフェイスに対応してＬＥＤの点滅速度を変更することを特徴とする記録装置であれば、少ない構成要素で表示方法を変えることができる。
【００１３】
さらに、ひとつのインターフェイスにおいても複数の通信速度をサポートしているような場合には、前記複数のインターフェイスのうち、通信に使用されたインターフェイスの通信速度に対応して、ＬＥＤの点滅速度を変化させて表示することを特徴とする記録装置とすることも可能である。
【００１４】
また、代表的な例として前記複数のインターフェイスのうち、１つのインターフェイスはＢｌｕｅｔｏｏｔｈ技術による通信手段であることを特徴とする記録装置。
【００１５】
あるいは、前記複数のインターフェイスのうち、１つのインターフェイスはＩｒＤＡ技術による通信手段であることを特徴とする記録装置であることが望ましい。
【発明の効果】
【００１６】
複数のインターフェイスを有するプリンタにおいて、印字するデータを受信中に受信中であることを表示する手段をもち、インターフェイスの種類により、あるいはインターフェイスの通信速度の違いによりその表示を変えることにより、インターフェイスの違いによりデータの受信速度がプリンタのエンジンスピードを上回る通信方式を使用した場合と、プリンタのエンジンスピードを大きく下回る場合とで、同一のデータの場合でも印字スピードが変わってくる場合をユーザーにわかりやすく認識させることができる効果がある。
【００１７】
また、インターフェイスの速度の違いにより、印刷スピードをあまり変えないために、ホストからプリンタに対してのデータの圧縮方法を変えて転送量を変化させる場合に応じて、インターフェイスの違いにより印刷結果が多少変化する場合においても、ユーザーに対してデータタイプにより表示を変えることによりデータタイプをわかりやすく認識させることができる効果がある。
【発明を実施するための最良の形態】
【００１８】
［第一の実施例］
図１は本実施例における複数のインターフェイス手段を有するインクジェットプリンタのブロック図を示したものである。本実施例においては、ＵＳＢ及びＩｒＤＡ、Ｂｌｕｅｔｏｏｔｈの３種類のインターフェイスによる通信手段を有したインクジェットプリンタとしている。
【００１９】
１はインクジェットプリンタ全体をあらわしている。２、３、４はそれぞれ印字データを送信する情報機器であり、２は本実施例においてはＢｌｕｅｔｏｏｔｈインターフェイスを有するデジタルカメラ、３はＩｒＤＡをインターフェイスとして搭載している携帯電話、４はＵＳＢインターフェイスを搭載したパーソナルコンピュータをそれぞれ想定している。４のコンピュータと１のプリンタにおいては４−１のＵＳＢケーブルを接続することにより通信可能となっている。
【００２０】
１のプリンタの内部構成を説明すると、１００は電源供給部でありプリンタの構成要素に対して電源を供給する手段である。但し、１１０の操作部及び１０１のＣＰＵは電源供給供給部１００に電源がＡＣコンセント（不図示）につながっている状態では電源ライン１００−１を介して電源が供給されている事とする。他の構成要素に関しては、ＣＰＵからの電源コントロール信号１００−２の信号によりＯＮ／ＯＦＦがコントロール可能であり、不図示の電源供給ラインにより電源ＯＮとされている場合に供給される。但し、１１１のＢｌｕｅｔｏｏｔｈモジュール及び１１２のＩｒＤＡモジュールに対しては、１２１のＢｌｕｅｔｏｏｔｈ電源供給スイッチと１２２のＩｒＤＡモジュールへの電源供給スイッチを介して電源を供給する構成となっており、１００−１で電源ＯＮの状態で１２１及び１２２のコントロールラインでＯＮとなった場合にそれぞれ供給される。１０１は記録装置のシステム制御をソフトウェアにより制御するためのＣＰＵであり、１０２はハードウェアにより制御するためのＡＳＩＣ、１０３は印字装置の制御プログラムを格納したＲＯＭを示している。これらはシステムバス１０１−１により接続されている。１０４はＲＡＭでありＣＰＵ１０１のワーク領域、ホストから受信したデータの一時的なバッファリング領域、記録ヘッドへデータを送信するためのデータバッファリング領域等として使用する。１０５はＥＥＰＲＯＭであり、記録装置の計時状態等を記憶するための手段として使用する。記録ヘッド１０６はＡＳＩＣから出力された信号により記録ヘッドを駆動する。
【００２１】
また、ＬＦモータ１０７は給紙のために使用するモータであり、１０８はヘッド及びインクを搭載したキャリッジユニットを移動させるために使用するＣＲモータである。ヘッドの回復動作を行うために使用するモータである。
【００２２】
１１０は記録装置の動作操作を行うためのスイッチと記録装置の状態等を表すためのＬＥＤ、あるいはＬＣＤ等を備えた操作部である。本実施例の操作部は２つのスイッチと二つのＬＥＤから形成されたものとする。操作部はＣＰＵと信号線１１０−１介して制御される。操作部には１１０−２のスイッチ１は１１０−３の信号線を介して、ＣＰＵの割込み端子へと接続されている。１１０−４は緑色に点燈可能なＬＥＤ１であり１１０−５は橙色に点燈可能なＬＥＤ２をあらわしている。これらのＬＥＤは１１０の信号線を介して点燈、消灯を行うことが可能である。また、不図示のスイッチ２はプリンタエラー解除用のスイッチであり、エラー状態の時にユーザーがこのスイッチを操作することによりプリンタのエラー解除するためのものである。
【００２３】
１１１はＢｌｕｅｔｏｏｔｈ規格に定められた通信プロトコルの一部を搭載した電子デバイスであるＢｌｕｅｔｏｏｔｈモジュールを示しており、１１１−２は電波を送受信するためのアンテナを示したものである。Ｂｌｕｅｔｏｏｔｈモジュールが有していないプロトコルの上位層は、１０３のＲＯＭに搭載されており、そのプロトコル間の通信は信号線１１１−１を介して行うことでＢｌｕｅｔｏｏｔｈ通信を実現する。１０１のＡＳＩＣ内にはＢｌｕｅｔｏｏｔｈモジュールとの通信を行うためのＢｌｕｅｔｏｏｔｈ送受信回路が内蔵されている。１２１は電源ＯＮ／ＯＦＦスイッチ手段であり、１０１のＣＰＵからの信号１２１−１により１２１のＢｌｕｅｔｏｏｔｈユニットに供給する電源スイッチのＯＮ／ＯＦＦの切り替え制御する手段であり、１２１がＯＮの状態にコントロールされている場合にのみ１２１はＢｌｕｅｔｏｏｔｈモジュールに対する電源供給ライン１１１−２を介してＢｌｕｅｔｏｏｔｈモジュールに電源が供給される。
【００２４】
本実施例における１１１のＢｌｕｅｔｏｏｔｈモジュールは、以上のプロトコルのうちＢＡＳＥＢＡＮＤ層とＲＦ部、及びＬＭＰを１つの電子デバイスとしたものとしている。その他の層はＲＯＭ１０３に実装されており、ＢｌｕｅｔｏｏｔｈモジュールとＡＳＩＣ間を通信することにより、Ｂｌｕｅｔｏｏｔｈ通信を実現する。本実施例においては、これらのプロトコル間の通信においても、Ｂｌｕｅｔｏｏｔｈの規格に定められたＨＣＩ−ＵＡＲＴにより実現している。しかしながら、Ｂｌｕｅｔｏｏｔｈモジュールに実装されるプロトコルは数多く想定でき、ＲＦ部だけのモジュールとすることや、アプリケーション・レイヤまですべて含んだＢｌｕｅｔｏｏｔｈモジュールを想定した場合でも本実施例の構成を利用できることとなることは言うまでもない。
【００２５】
１１２のＩｒＤＡモジュールは、電気信号を赤外線に変換するための発光ＬＥＤ及び受信した赤外線を電気信号に変換するための光電変換素子とを有したものである。赤外線の送信に関しては、赤外線送受信回路からの送信信号に応じて発光ＬＥＤにより赤外線を照射（３−２）し、赤外線を受信した場合には赤外線受信信号（３−２）を電気的なパルス信号に変換して赤外線受信回路へ送出する。１２２は電源ＯＮ／ＯＦＦスイッチ手段であり、１０１のＣＰＵからの信号１２２−１により１１２のＩｒＤＡモジュールに供給する電源をＯＮ／ＯＦＦ制御する手段であり、１２２がＯＮの状態にコントロールされている場合にのみ１２２−１はＩｒＤＡモジュールに対する電源供給ラインを介してＩｒＤＡモジュールに電源が供給される。
【００２６】
１１３はＵＳＢコネクタであり、ホストコンピュータとＵＳＢ接続する場合に使用する。４―１はＵＳＢケーブルであり、印字データの送り元となる情報端末機器４と接続され、印字データを受信する。
【００２７】
図２はＡＳＩＣ１０２の内部構成を説明した図である。２０１は不揮発性データの書き込み及び読み込みを１０５のＥＥＰＲＯＭに対して行うための制御回路である。２０２はＲＡＭ制御回路であり、２０３は受け取ったデータに対して解像度変換等を行うためのデータ処理部であり、２０４は記録ヘッドを駆動するための信号を生成するＨＥＡＤ駆動部である。記録ヘッド１０６は、駆動信号によりインクを吐出し記録紙に印字を行う。２０５はＬＦモータの制御回路で印字装置が印字を行う記録紙を印字動作に合わせて移動させるための紙送り機構の動力として使用される。また、２０６はＣＲモータの制御回路であり記録紙に印字を行う際の記録ヘッド及びインクを搭載したキャリッジユニット（不図示）を吐出動作に同期させて移動させるための動力源となるＣＲモータを駆動するための制御回路である。２０７はＡＰモータの制御回路であり、記録ヘッドの回復ユニットを動作させるための動力源となるＡＰモータを動作させるための制御回路である。これらは、プリンタの一連の動作に合わせて動作する。
【００２８】
２０８はＢｌｕｅｔｏｏｔｈ送受信回路であり、Ｂｌｕｅｔｏｏｔｈモジュールに内蔵されているプロトコルとＲＯＭに内蔵されているプロトコルと接続するための通信の送受信を受け持つ部分である。Ｂｌｕｅｔｏｏｔｈモジュールからのデータをプロトコル上位層に転送するためのデータは、２０３のＲＡＭ制御回路を介して１０４のＲＡＭに保存される。それと同時に、Ｂｌｕｅｔｏｏｔｈモジュールからのデータ受信があったことを２１１のＩＦ状態識別部にＢｌｕｅｔｏｏｔｈが送受信中であるという識別信号２０８−１を送出する。２１１のＩ／Ｆ識別部ではＢｌｕｅｔｏｏｔｈで通信中であるという情報を保持すると共に、ＣＰＵに対して割込み信号を発生させる。ＲＡＭに保存されたデータはＣＰＵにより解析され、印字装置として印字動作を行うこととなる。また、Ｂｌｕｅｔｏｏｔｈ通信を行うためにＢｌｕｅｔｏｏｔｈモジュールに送信するデータは、ＣＰＵがＲＯＭに上のプロトコルに乗っ取り１０４のＲＡＭ上にセットする。そして、２０３のＲＡＭ制御回路および２０７のＢｌｕｅｔｏｏｔｈ送受信部を介してＢｌｕｅｔｏｏｔｈモジュールに送信される。Ｂｌｕｅｔｏｏｔｈモジュールは受け取ったデータに基づき、必要に応じて情報機器２に対して電波信号を送信することにより通信が可能となる構成をしている。
【００２９】
２０９はＩｒＤＡ送受信回路である。これは、赤外線を受光した赤外線モジュールから送出されたパルス信号を、定められたパケット形式にのっとりデータを抽出する機能、及び送信したいデータをＩｒＤＡ規格に定められたパケット方式の電気信号に変換し、ＩｒＤＡモジュールへ送出する回路を有した部分である。ＩｒＤＡのデータを受信した場合には、２１１のＩＦ状態識別部にＢｌｕｅｔｏｏｔｈが送受信中であるという識別信号２０８−１を送出する。２１１のＩ／Ｆ識別部ではＩｒＤＡで通信中であるという情報を保持すると共に、ＣＰＵに対して割込み信号を発生させる。
【００３０】
２１０はＵＳＢ仕様により構成されたインターフェイスである。ＵＳＢ送受信においてもＵＳＢのデータを受信した場合には、２１１のＩＦ状態識別部にＵＳＢデータを受信中であるという識別信号２１０−１を送出する。２１１のＩ／Ｆ識別部ではＵＳＢで通信中であるという情報を保持すると共に、ＣＰＵに対して割込み信号を発生させる。
【００３１】
２１１のＩ／Ｆ状態識別部では、Ｂｌｕｅｔｏｏｔｈ、ＩｒＤＡ、ＵＳＢのいずれかの状態が通信中という状態となった場合に、１０２−１の信号を１０１のＣＰＵに対しての割込み信号を発生させる。また、２１２のタイマ回路は時間の計測手段として使用している。
【００３２】
図３は本実施例における複数のインターフェイスを有するインクジェットプリンタの状態遷移図を示したものである。Ｓ１はパワーオフ状態である。電源スイッチの操作（ＰＯＷＥＲ＿ＯＮ）によりプリンタはインターフェイスからの通信待ちの状態であるＳ２のスタンバイ状態へと遷移する。ホストからＢｌｕｅｔｏｏｔｈインターフェイス経由でプリント動作が開始されると（ＢＴ＿ＰＲＩＮＴ＿ＳＴＡＲＴ）、Ｓ３のＢｌｕｅｔｏｏｔｈ通信状態へと遷移する。プリンタ動作が終了（ＢＴ＿ＰＲＩＮＴ＿ＥＮＤ）するとＳ２のスタンバイ状態へと遷移する。Ｓ２のスタンバイ状態のときに、ホストからＩｒＤＡインターフェイス経由でプリント動作が開始される（ＩＲＤＡ＿ＰＲＩＮＴ＿ＳＴＡＲＴ）と、Ｓ４のＩｒＤＡ通信状態へと遷移する。プリンタ動作が終了する（ＩＲＤＡ＿ＰＲＩＮＴ＿ＥＮＤ）とＳ２のスタンバイ状態へと遷移する。Ｓ２のスタンバイ状態のときに、ホストからＵＳＢインターフェイス経由でプリント動作が開始される（ＵＳＢ＿ＰＲＩＮＴ＿ＳＴＡＲＴ）と、Ｓ５のＵＳＢ通信状態へと遷移する。プリンタ動作が終了する（ＵＳＢ＿ＰＲＩＮＴ＿ＥＮＤ）とＳ２のスタンバイ状態へと遷移する。
【００３３】
通信状態であるＳ３、Ｓ４、Ｓ５の状態で、通信エラーあるいはプリンタエラー（ＢＴ＿ＥＲＲＯＲ／ＩＲＤＡ＿ＥＲＲＯＲ／ＵＳＢ＿ＥＲＲＯＲ）が生じると、Ｓ６のエラー状態へと遷移する。エラー状態において、プリント状態へ復帰可能なエラーである場合、エラー解除動作を行うことによりエラーが解除される（ＢＴ＿ＥＲＲＯＲ＿ＯＦＦ／ＩＲＤＡ＿ＥＲＲＯＲ＿ＯＦＦ／ＵＳＢ＿ＥＲＲＯＲ＿ＯＦＦ）とプリンタエラーから再びもとの印字状態Ｓ３あるいはＳ４，Ｓ５のいずれかの状態に遷移し、続きを印刷する。また、プリンタがＳ２〜Ｓ６までのどの状態にある場合でも復帰不可能なエラーが生じた場合（ＦＡＴＡＬ＿ＥＲＲＯＲ）にはＳ７の復帰不可能状態へと遷移する。また、どの状態においてもパワーオフ動作（ＰＯＷＥＲ＿ＯＦＦ）がされることにより、Ｓ１のパワーオフ状態へと遷移する。
【００３４】
表１は図３における状態に対応した操作部のＬＥＤ１及びＬＥＤ２の状態を示したものである。Ｓ１のパワーオフ状態においては、ＬＥＤ１及びＬＥＤ２は共に消灯しており、ユーザーに対してパワーオフであることを表示している。Ｓ２のスタンバイ状態では、ＬＥＤ１が点燈することでスタンバイ状態であることを表示する。Ｓ３のＢｌｕｅｔｏｏｔｈでの通信状態での場合には、ＬＥＤ１が点滅１のスピードで点滅することにより、Ｂｌｕｅｔｏｏｔｈでの通信中であることを表示する。Ｓ４のＩｒＤＡでの通信状態においては、ＬＥＤ２が点滅２のスピードで点滅することによりＩｒＤＡでの通信中であることを表示する。Ｓ５のＵＳＢでの通信状態では、ＬＥＤ１が点滅３のスピードにより点滅することにより、ＵＳＢでの通信中であることを表示する。また、Ｓ６のエラー状態においては、ＬＥＤ２が点滅することによりエラー状態であることを示す。
【００３５】
このとき、点滅のスピードを以下のようにする。点滅１はＢｌｕｅｔｏｏｔｈインターフェイスを使用している。Ｂｌｕｅｔｏｏｔｈ規格に定められるスピードは規格上１Ｍｂｐｓである。また、点滅２はＩｒＤＡインターフェイスにより通信している。ＩｒＤＡインターフェイスは規格上最大４Ｍｂｐｓで通信をしている。同様に点滅３はＵＳＢインターフェイスにより通信をしている。ＵＳＢはｖ１．１の規格上では最大１２Ｍｂｐｓで通信できる規格となっている。これらのことから、点滅速度をインターフェイスの通信速度に合わせて変化させる。例えば、点滅１は１０００ｍｓｅｃ点燈後１０００ｍｓ消灯の繰り返しにより点滅させる。点滅２は６００ｍｓ点燈後６００ｍｓ消灯の繰り返しで点滅させる。点滅３は３００ｍｓｅｃ点燈後に３００ｍｓｅｃ消灯させることとする。
【００３６】
このように表示することにより、ユーザーは点滅スピードから利用しているインターフェイスを特定できることになり、使用しているインターフェイスのスピードを表現することが可能となる。
【００３７】
本実施例においては、ＰＣ等のホストからプリンタドライバ経由で印刷を行う場合にも有効となる。プリンタドライバではプリンタに転送するデータを作成するが、プリンタデータの作成手段を使用するインターフェイスによりその作成手段を変える場合がある。
【００３８】
データ量を少なくして画質を落としたプリントデータをプリントデータ１、データ量を多くして画質を高くしたプリントデータをプリントデータ２とする。プリントデータ２はＵＳＢで転送した場合はエンジンスピード以上のスピードとなり通信により印字スピードが落ちないが、ＩｒＤＡやＢｌｕｅｔｏｏｔｈにより印字させた場合にはその印字スピードは遅くなる程度のデータとする。一方、プリントデータ１はＢｌｕｅｔｏｏｔｈ通信やＩｒＤＡ通信でもエンジンスピード以上のスピードで通信できる程度のデータとする。
【００３９】
ホストがプリンタと通信を行い印字する場合において、使用するインターフェイスに応じてプリントデータ１およびプリントデータ２を適宜変更した場合、同じ印字元でもＩｒＤＡやＢｌｕｅｔｏｏｔｈで送信する場合にはプリントデータ１を、ＵＳＢでプリントする場合にはプリントデータ２を転送するようにプリンタドライバ上で処理を行った場合、同じ印字元データであるにもかかわらず、インターフェイスの違いによって印字結果に違いが生じることになる。このような場合においても、インターフェイスの違いを表示することにより、印字結果の違いを認識できることになる。
【００４０】
［第二の実施例］
本実施例においては、表示方法をインターフェイススピードで選択的にグルーピングを行い、表示方法を変える手段を提供することとする。
【００４１】
図４は本実施例におけるプリンタの状態遷移図を示したものである。Ｓ１，Ｓ２，Ｓ３，Ｓ５，Ｓ６，Ｓ７については図３と同等の状態を示したものである。そして、Ｓ４のＩｒＤＡ通信状態は二つの状態に場合分けしている。
【００４２】
ＩｒＤＡ規格においては、ＩｒＤＡ１．０あるいはＩｒＤＡ１．２で規定されるように最高速度１１５．２ｋｂｐｓで通信する方式と、ＩｒＤＡ１．１で規定されているように最高速度４Ｍｂｐｓで通信する物理層を有している。本実施例のプリンタにおいては、４Ｍｂｐｓでの通信までサポートしているものとした場合、例えばホストとなる機器が１１５．２ｋｂｐｓまでの低速通信しかサポートしていない場合、ＩｒＤＡ通信による印字動作を行った場合においてもその通信速度は大きく違う場合がある。Ｓ４−１は低速通信によりプリンタで印刷している状態を示したものであり、Ｓ４−２は高速通信でプリンタにより印刷している状態を示す。
【００４３】
表２は図４における状態に対応した表示部のＬＥＤの状態を示したものである。本実施例においては、通信中における点滅のスピードをインターフェイス毎に分けるのではなく、通信スピードごとにグループ分けを行い、グループ毎に点滅速度を変化させている。Ｓ４−１は最高１１５．２Ｋｂｐｓと極端に遅いのでグループ１、Ｓ３は最高１Ｍｂｐｓ、Ｓ４−２は最高４Ｍｂｐｓとあまり通信速度に違いが無いため、同一のグループ２とした。また、Ｓ５は最高１２Ｍｂｐｓと速いためグループ３とした。
【００４４】
実施例１と同様、Ｓ１のパワーオフ状態においては、ＬＥＤ１及びＬＥＤ２は共に消灯しており、ユーザーに対してパワーオフであることを表示している。Ｓ２のスタンバイ状態では、ＬＥＤ１が点燈することでスタンバイ状態であることを表示する。Ｓ３のＢｌｕｅｔｏｏｔｈでの通信状態での場合には、本実施例ではグループ２としＬＥＤ１が点滅２のスピードで点滅することにより、通信スピードが中程度であることを表示する。Ｓ４−１のＩｒＤＡでの低速通信状態においてはグループ１としＬＥＤ１が点滅１のスピードで点滅することにより、低速通信中であることを表示する。Ｓ４−２のＩｒＤＡでの高速通信状態においてはグループ２とし、通信スピードが中程度であることを表示する。Ｓ５のＵＳＢでの通信状態では、グループ３としＬＥＤ１が点滅３のスピードにより点滅することにより、高速で通信中であることを表示する。また、Ｓ６のエラー状態においては、ＬＥＤ２が点滅することによりエラー状態であることを示す。Ｓ７の復帰不可能なエラー状態においては、ＬＥＤ１とＬＥＤ２が交互に点滅することにより、復帰不可能なエラー状態であることを表示する。
【００４５】
また、点滅１と点滅２と点滅３の点滅の仕方については、点滅の時間間隔を点滅１＞点滅２＞点滅３とすることにより、通信スピードが速くなるに従い点滅間隔を短くすることで、視覚的に転送速度をユーザーが視認することが可能である。
【００４６】
本実施例においては赤外線通信のみを二つの状態に分けて、グループ化を行ったが他のインターフェイス、例えばＵＳＢインターフェイス等も規格上大きく二つの速度に分けることが可能である。このような場合については、状況に応じてグループを変えて表示方法を変化させられることは言うまでもないことである。
【図面の簡単な説明】
【００４７】
【図１】本発明の代表的な実施形態である複数のインターフェイス手段を有するインクジェットプリンタのブロック図。
【図２】ＡＳＩＣ１０２の内部構成を説明した図。
【図３】実施例１におけるプリンタの状態遷移図。
【図４】実施例２におけるプリンタの状態遷移図。
【符号の説明】
【００４８】
１  複数のインターフェイス手段を備えたインクジェット記録装置
２  デジタルカメラ
３  携帯電話
４  パーソナルコンピュータ
１００  電源供給手段
１０１  ＣＰＵ
１０２  ＡＳＩＣ
１０３  ＲＯＭ
１０４  ＲＡＭ
１０５  ＥＥＰＲＯＭ
１０６  記録ＨＥＡＤ
１０７  ＬＦモータ
１０８  ＣＲモータ
１０９  ＡＰモータ
１１０  操作部
１１１  Ｂｌｕｅｔｏｏｔｈモジュール
１１２  ＩｒＤＡモジュール
１１３  ＵＳＢコネクタ
【図１】
2006015600.tif 000003
【図２】
2006015600.tif 000004
【図３】
2006015600.tif 000005
【図４】
2006015600.tif 000006